(57)【要約】【課題】本発明は紙基材を用いた記録媒体形成用基材において、表面が平滑で高温多湿環境で保存した場合でも、基材の反り、表面平滑性が悪化せず、記録媒体形成に支障をきたすことなくプラスチック材料使用量の削減を可能にすることを課題とする。【解決手段】光ディスクの記録媒体形成用紙基材であって、少なくとも紙基材の記録層貼り付け面の反対側の面に、表面にバリア層を有するバリアフィルムを設けてあることを特徴とする、記録媒体形成用紙基材である。【選択図】図１
2014038692.tif 000002
【特許請求の範囲】
【請求項１】
光ディスクの記録媒体形成用紙基材であって、
少なくとも紙基材の記録層貼り付け面の、反対側の面に、
表面にバリア層を有するバリアフィルムを設けてあることを特徴とする、
記録媒体形成用紙基材。
【請求項２】
バリア層を有するバリアフィルムが、
バリア層の一層目に無機化合物を蒸着法により形成し、
さらに二層目に無機化合物を主体とするコーティング層を重ねて形成してなることを特徴とする、
請求項１に記載の記録媒体形成用紙基材。
【請求項３】
紙基材が、一層以上の層からなる圧縮された紙であることを特徴とする、
請求項１または２に記載の記録媒体形成用紙基材。
【発明の詳細な説明】
【技術分野】
【０００１】
本発明は、情報を読み取りおよび書き込みすることのできる記録層を表面に形成することのできる記録媒体形成用基材に関し、特に基材が紙を原材料とする記録媒体形成用紙基材に関する。
【背景技術】
【０００２】
記録層が形成された媒体のひとつとして光ディスクがあり、さまざまな種類の光ディスクが実用化され使用されている。
現状ではそれらはほとんどがプラスチック製の基材を用いている。
光ディスクの基材材料としては、情報の安定した読み取りおよび書き込みが行えるように、用いられるプラスチック材料は異物や不純物の含有が少なく、透明性が高く、複屈折率が小さく、光ディスクが変形しないように吸水性が低く、耐熱性に優れたものであることが必要である。
また成型加工性のために高流動性を有し、離型性に優れる必要もある。
これらの要求を満たすために、光ディスクには基材材料や保護層に、ポリカーボネート、ポリメタクリル酸メチル、エポキシ樹脂、環状オレフィン酸樹脂、ポリ乳酸などが用いられてきた。
【０００３】
昨今では環境問題への意識の高まりから、廃棄物問題や石油資源枯渇の問題が浮上しており、光ディスクにおいてもプラスチック材料の使用量の削減が課題である。
しかしながら、一般に光ディスクはスタンパーを型としてインジェクション成型で記録層を基材と一体のものとして作成するため、プラスチックの削減方法としては厚みを薄くするしかなかった。
【０００４】
厚みを薄くして必要強度保持するためには基材にリブを取り付ける方法があるが、リブのある部分とリブの無い部分の収縮の仕方が異なり記録層に凹凸ができてしまうため、情報の読み取りや書き込みに問題を生じることがある。
【０００５】
一方でプラスチック材料の使用量の削減のために、紙製のディスクも提案されているが、紙製のディスクには紙自体の吸湿、乾燥による寸歩変化が大きいという問題が有り、さらに紙製のディスクには長期間保存、使用した際に寸法変化による光ディスクの反りなどの問題があった。
【０００６】
また紙基材は湿度による影響に加えて、紙自体の表面に凹凸があるためその上にフィルムを貼りあわせても凹凸が消えず、フィルムでサンドイッチしたとしても紙起因の凹凸の影響を受け、情報の読み取りや書き込みに問題を生じることがある。
【先行技術文献】
【特許文献】
【０００７】
【特許文献１】特開２００７−２０７２８８号公報
【特許文献２】特許第２７９００５４号公報
【発明の概要】
【発明が解決しようとする課題】
【０００８】
本発明は紙基材を用いた記録媒体形成用基材において、表面が平滑で高温多湿環境で保存した場合でも、基材の反りや表面平滑性が悪化せず、記録媒体形成に支障をきたすことなくプラスチック材料使用量の削減を可能にすることを課題とする。
【課題を解決するための手段】
【０００９】
上記の課題を解決するための手段として、請求項１に記載の発明は、光ディスクの記録媒体形成用紙基材であって、少なくとも紙基材の記録層貼り付け面の、反対側の面に、表面にバリア層を有するバリアフィルムを設けてあることを特徴とする、記録媒体形成用紙基材である。
【００１０】
また請求項２に記載の発明は、バリア層を有するバリアフィルムが、バリア層の一層目に無機化合物を蒸着法により形成し、さらに二層目に無機化合物を主体とするコーティング層を重ねて形成してなることを特徴とする、請求項１に記載の記録媒体形成用紙基材である。
【００１１】
また、請求項３に記載の発明は、紙基材が、一層以上の層からなる圧縮された紙であることを特徴とする、請求項１または２に記載の記録媒体形成用紙基材である。
本発明の記録媒体形成用紙基材は、以上のように少なくとも紙基材の両面をバリアフィルムと記録層とで覆う構成であるので、紙基材に対する湿度の影響を遮断することができる。
【発明の効果】
【００１２】
本発明によれば記録媒体形成用基材において、表面が平滑で高温多湿環境で保存した場合でも、基材の反り、表面平滑性が悪化せず、記録媒体形成に支障をきたすことなくプラスチック材料使用量の削減が可能になる。
【図面の簡単な説明】
【００１３】
【図１】本発明の記録媒体形成用紙基材の実施形態のうち、第１の実施形態の一態様の断面模式図である。
【図２】本発明の記録媒体形成用紙基材の実施形態のうち、第２の実施形態の一態様の断面模式図である。
【図３】本発明の記録媒体形成用紙基材の実施形態のうち、第３（ａ）の実施形態の一態様の断面模式図である。
【図４】本発明の記録媒体形成用紙基材の実施形態のうち、第３（ｂ）の実施形態の一態様の断面模式図である。
【発明を実施するための形態】
【００１４】
以下本発明を実施する形態について図を参照しながら説明する。
図１は本発明の記録媒体形成用紙基材の実施形態のうち、第１の実施形態の一態様の断面模式図である。
記録媒体形成用紙基材（１０）は、バリアフィルム（５）、紙基材（１）および接着層（６）からなる。
バリアフィルム（５）は表面に蒸着によるバリア層（３）およびコーティングによるバリア層（４）を順次設けてなる。
【００１５】
バリアフィルム（５）と紙基材（１）は接着層（６）を介して貼りあわせられ、記録媒体形成用紙基材（１０）を構成する。
紙基材を用いた光ディスク記録媒体は、本発明による記録媒体形成用紙基材（１０）および記録層（２１）から構成される。
【００１６】
以下さらに詳細に説明する。
バリアフィルム（５）はフィルム層（２）およびバリア層からなり、バリア層は無機化合物の蒸着によるバリア層（３）、無機化合物のコーティングによるバリア層（４）を順次
設けてなる。
【００１７】
フィルム層は高分子樹脂組成物からなるフィルムであって、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン-６、ナイロン-６６等）、ポリイミドなどが使用でき、用途に応じて適宜選択される。
特にポリプロピレン、ポリエチレンテレフタレートを基材フィルムとする場合は、フィルム強度と価格においてより好ましい。
【００１８】
蒸着層を形成する方法としては，ＳｉＯやＡｌＯなどの無機化合物を蒸着法を用いて基材フィルム（２）上に蒸着層を形成することができる。
さらに水溶性高分子と、（a）一種以上のアルコキシドまたはその加水分解物、または両者、あるいは（ｂ）塩化錫の、少なくともいずれかひとつを含む水溶液あるいは水／アルコール混合水溶液を主剤とするコーティング剤を、蒸着層を設けたフィルム上に塗布し、加熱乾燥してコート層を重ねて形成しバリア層とすることができる。
【００１９】
バリアフィルム（５）を貼りあわせる事によって紙基材（１）への湿度の影響をなくすことが可能になる。
またバリアフィルム（５）はフィルム面を外側にして紙基材と貼りあわせることが、バリア層保護の点でより好ましい。
【００２０】
紙基材（１）は一層以上の紙層を積層し、加熱・加圧のプレスにより平滑性と厚み精度を付与する。
紙基材（１）の平滑性と厚み精度の向上によって、バリアフィルム（５）を貼りあわせた後の状態においても、記録層（２１）の情報の読み取りや書き込みの妨げとなる凹凸および厚みのばらつきをなくすことができる。
また積層された紙は少なくとも最上層と最下層に位置する紙の表裏が対象となるように配置・積層される。これにより紙基材（１）の反りを引き起こす応力を相殺し、反りを防止することが可能になる。
【００２１】
記録媒体形成用紙基材（１０）に、別に用意した記録層（２１）を接着剤（６）を介して貼りあわせることにより記録媒体が完成される。
【００２２】
図２は本発明の記録媒体形成用紙基材の実施形態のうち、第２の実施形態の一態様の断面模式図である。
この場合には、バリアフィルム（５）を紙基材（１）を包みこむように接着剤（６）で貼りあわせ、記録媒体形成用紙基材（１０）を形成する。
それによって紙基材（１）の端面を保護し端面からの湿度の影響を遮断することができる。
【００２３】
図３は本発明の記録媒体形成用紙基材の実施形態のうち、第３（ａ）の実施形態の一態様の断面模式図である。
この場合には、記録層（２１）には金属層を用いる。
紙基材（１）に対する、記録層（２１）側からのバリア性を記録層（２１）に用いる金属層のバリア性で代用するものである。
これに用いられる金属層にはアルミニウム箔やアルミニウムの蒸着層などを用いることができる。
【００２４】
図４は本発明の記録媒体形成用紙基材の実施形態のうち、第３（ｂ）の実施形態の一態様の断面模式図である。
この場合には、実施形態３（ａ）と同様に紙基材（１）に対する、記録層（２１）側からのバリア性を記録層（２１）に用いる金属層で代用するものであり、かつ実施例２と同様にバリアフィルム（５）を紙基材（１）を包みこむように接着剤（６）で貼りあわせ、記録媒体形成用紙基材を形成するために、紙基材（１）の端面を保護し端面からの湿度の影響を遮断することができる。
【００２５】
これらの実施形態によれば、本発明による記録媒体形成用紙基材は、表面が平滑で高温多湿環境で保存した場合でも、基材の反り、表面平滑性が悪化せず、記録媒体形成に支障をきたすことなくプラスチック材料使用量の削減が可能になる。
また、基材に紙を用いていることからディスクの裁断が従来のプラスチックを用いる場合よりも容易になり、不要になった情報の廃棄などにおいて情報管理の利便性を提供することが可能になる。
【符号の説明】
【００２６】
１・・・紙基材
２・・・フィルム
３・・・蒸着によるバリア層
４・・・コーティングによるバリア層
５・・・バリアフィルム
６・・・接着層
１０・・・記録媒体形成用紙基材
２１・・・記録層
【図１】
2014038692.tif 000003
【図２】
2014038692.tif 000004
【図３】
2014038692.tif 000005
【図４】
2014038692.tif 000006